(57)【要約】【課題】  圧縮符号化されたオーディオデータの高速再生時の処理量を軽減する。【解決手段】  ２チャネル以上のオーディオチャネルを持つ圧縮符号データを再生するオーディオ復号機において、高速再生時にインテンシティステレオ成分のみをデコードし、デコードされたデータを全チャネルで再生することを特徴とする。【選択図】        図１
2005181672.tif 000002
【特許請求の範囲】
【請求項１】
２チャネル以上のオーディオチャネルを持つ圧縮符号データを再生するオーディオ復号機において、高速再生時にインテンシティステレオ成分のみをデコードし、デコードされたデータを全チャネルで再生する手段を備えたオーディオ再生装置。
【請求項２】
２チャネル以上のオーディオチャネルを持つ帯域分割された符号データを再生するオーディオ復号機において、帯域分割されたスペクトルデータの全チャネルの平均を求めてデコードし、デコードされたデータを全チャネルで再生する手段を備えたオーディオ再生装置。
【発明の詳細な説明】
【技術分野】
【０００１】
本発明は、オーディオを再生する装置に関し、限られたＣＰＵパワーや消費電力の制約があるシステムで高速再生をする復号化処理に関するものである。
【背景技術】
【０００２】
従来、ＭＰ３などオーディオを再生する装置に関して、高速再生するのに通常どおりの復号を行い、ダウンサンプリングして出力をしていた（例えば、特許文献１参照）。
【特許文献１】特開平１０−９３９２１号公報
【発明の開示】
【発明が解決しようとする課題】
【０００３】
しかしながら、以下のような問題が発生する。
【０００４】
２倍速にしようとすると、時間あたりの復号処理が単純に２倍になり、ダウンサンプリングの処理も含めると、かなりの処理量を必要とする。また、そのような処理をしても、もとの音とはかなり違うものである。
【０００５】
本発明は上述の問題点に着目して成されたものであって、圧縮符号化されたオーディオデータの高速再生時の処理量を軽減することのできるオーディオ再生装置の提供を目的としている。
【課題を解決するための手段】
【０００６】
上記課題を解決するため、本発明のオーディオ再生装置は以下（１）、（２）の構成を備える。
【０００７】
（１）２チャネル以上のオーディオチャネルを持つ圧縮符号データを再生するオーディオ復号機において、高速再生時にインテンシティステレオ成分のみをデコードし、デコードされたデータを全チャネルで再生する手段を備えた。
【０００８】
（２）２チャネル以上のオーディオチャネルを持つ帯域分割された符号データを再生するオーディオ復号機において、帯域分割されたスペクトルデータの全チャネルの平均を求めてデコードし、デコードされたデータを全チャネルで再生する手段を備えた。
【０００９】
本発明では、高速再生はもともと曲の聴きたい場所を早く見つけるためのものであり音質はあまり重要視されないことに着目し、音質は曲の内容がわかる程度にして処理を簡素化する。ＭＳステレオで符号化されたデータの場合には、オーディオを符号化する際にインテンシティステレオ成分と、差分ステレオ成分のように２つの部分に分割し符号化を行う。２つの成分を合成すれば高品質な再生ができるが、インテンシティステレオ成分だけでもステレオではなくなるが再生が可能である。復号時に処理時間がかかるのはフィルタバンクや窓かけなので、大幅な計算量の削減となる。また、高速再生では出力のサンプルレートもダウンサンプラによって落とす必要があるが、通常の方法ではアンチエリアスフィルタも必要になる。本発明では、フィルタバンクの高域の係数も削除することでアンチエリアスフィルタを削除する他、窓掛けの計算量も削減する。
【００１０】
〔作用〕
本発明はこのように構成したので、高速再生を負荷の少ない処理で実現できる。
【発明の効果】
【００１１】
本発明によれば、高速再生をしても少ない処理量で実現が可能である。
【発明を実施するための最良の形態】
【００１２】
以下に本発明を実施するための最良の形態を、実施例に基づいて説明する。
【実施例】
【００１３】
＜第１実施例＞
以下、本発明の第１の実施例を、図面を用いて詳細に説明する。
【００１４】
図１は本発明でＭＳステレオ方式で符号化されたデータを高速再生するオーディオデータ復号装置の構成を示すブロック図である。
【００１５】
図１において、１００はオーディオビットストリーム、１０１はオーディオビットストリーム１００からチャネルごとのストリームに分離するチャンネル分配器、１０２は第１チャネルの信号を逆量子化してスペクトルに変換する逆量子化器１、１０３は第２チャネルの信号を逆量子化してスペクトルに変換する逆量子化器２、１０４はスペクトルを波形に変換する波形合成部、１０５は第１チャネル出力部、１０６は第２チャネル出力部である。
【００１６】
図２は本発明でステレオ方式で符号化されたデータを高速再生するオーディオデータ復号装置の構成を示すブロック図である。１００から１０６は図１と同様である。１０７は第１チャネルと第２チャネルのスペクトルを合成するスペクトル合成部である。
【００１７】
次に詳細な手順を説明する。
【００１８】
図１において、チャンネル分配器１０１は、オーディオビットストリーム１００からインテンシティ成分と差分ステレオ成分に分ける。逆量子化器１の１０２はインテンシティ成分を第１チャネルの信号として逆量子化してスペクトルに変換する。このとき、高速再生する場合は高い高周波成分については０にする。倍速再生する場合はスペクトルの半分より高い高周波成分について０にする。逆量子化器２の１０３は通常差分ステレオ成分を第２チャネルの信号として逆量子化するが、高速再生時では、このデータを破棄する。波形合成部１０４はスペクトルを波形に変換するものでＭＤＣＴやフィルタバンクが使われる。逆量子化器１の１０２で高域成分をカットされたスペクトルを復号し、信号のダウンサンプルを行う。スペクトルの半分より高い高周波成分について０にされた場合は、１サンプルおきに信号を抽出する。このようにして得られた同じ波形を第１チャネル出力部１０５と第２チャネル出力部１０６に出力する。
【００１９】
＜第２実施例＞
次に図２においてステレオ方式で符号化されたデータを高速再生する手順を説明する。
【００２０】
図２において、チャンネル分配器１０１は、オーディオビットストリーム１００からＬ成分とＲ成分に分ける。逆量子化器１の１０２はＬ成分を第１チャネルの信号として逆量子化してスペクトルに変換する。逆量子化器２の１０３はＲ成分を第２チャネルの信号として逆量子化する。スペクトル合成部１０７でこの２チャネルのスペクトル成分を加算し、高い高周波成分については０にする。倍速再生する場合はスペクトルの半分より高い高周波成分について０にする。波形合成部１０４はスペクトルを波形に変換するものでＭＤＣＴやフィルタバンクが使われる。逆量子化器１の１０２で高域成分をカットされたスペクトルを復号し、信号のダウンサンプルを行う。スペクトルの半分より高い高周波成分について０にされた場合は、１サンプルおきに信号を抽出する。このようにして得られた同じ波形を第１チャネル出力部１０５と第２チャネル出力部１０６に出力する。
【００２１】
＜その他の実施例＞
また、本実施例の各部または全部の機能をソフトウェアで記述し、ＣＰＵ等の演算装置によって処理をさせてももちろんかまわない。
【図面の簡単な説明】
【００２２】
【図１】本発明の第１の実施例としてのオーディオ再生装置の構成を示すブロック図である。
【図２】本発明の第２の実施例としてのオーディオ再生装置の構成を示すブロックである。
【図３】本発明をソフトウェアで行うの実施例を示すブロック図である。
【符号の説明】
【００２３】
１００  オーディオビットストリーム
１０１  チャンネル分配器
１０２  逆量子化器１
１０３  逆量子化器２
１０４  波形合成部
１０５  第１チャネル出力部
１０６  第２チャネル出力部
１０７  スペクトル合成部
【図１】
2005181672.tif 000003
【図２】
2005181672.tif 000004
【図３】
2005181672.tif 000005